(57)【要約】【課題】可動式の排気構造を用いない簡単な構成で、排気口から排気される空気に起因する映像のゆらぎを抑制することができる投写型映像表示装置を提供する。【解決手段】投写型映像表示装置であるプロジェクタ１は、映像の光を投射する投射レンズ装置２３と、投射レンズ装置２３が設けられる筐体１０と、投射レンズ装置２３から間隔を空けて設けられ、筐体１０の内部の空気を筐体１０の外部に排気する排気口１１Ｂとを備える。また、プロジェクタ１は、筐体１０における投射レンズ装置２３と排気口１１Ｂとの間に開口するとともに、筐体１０の内部の空気を筐体１０の外部に排気する排気構造５０を備える。排気構造５０は、投射レンズ装置２３と排気口１１Ｂとが隣り合う隣接方向（横方向Ｙ）において、排気口１１Ｂが空気を排気する方向に比べて、投射レンズ装置２３から離れる方向に向けて排気する斜め排気形状を有する。【選択図】図２
2013120249.tif 000002
【特許請求の範囲】
【請求項１】
映像の光を投射する投射レンズ装置と、前記投射レンズ装置が設けられる筐体と、前記投射レンズ装置から間隔を空けて設けられ、前記筐体の内部の空気を前記筐体の外部に排気する排気口とを備える投写型映像表示装置において、
前記筐体における前記投射レンズ装置と前記排気口との間に開口するとともに、前記筐体の内部の空気を前記筐体の外部に排気する排気構造を備え、
前記排気構造は、前記投射レンズ装置と前記排気口とが隣り合う隣接方向において、前記排気口が空気を排気する方向に比べて、前記投射レンズ装置から離れる方向に向けて排気する斜め排気形状を有する
ことを特徴とする投写型映像表示装置。
【請求項２】
前記排気構造は、前記筐体の内部の空気を前記投射レンズ装置の周囲から前記筐体の外部に排気する
ことを特徴とする請求項１に記載の投写型映像表示装置。
【請求項３】
前記投射レンズ装置の外形が、前記隣接方向において前記投射レンズ装置から離れる方向に向けて、前記投射レンズ装置の光軸に対して斜めに形成されている
ことを特徴とする請求項２に記載の投写型映像表示装置。
【請求項４】
前記筐体は、前記投射レンズ装置と対向するレンズ装置対向壁部を有し、
前記レンズ装置対向壁部が、前記隣接方向において前記投射レンズ装置から離れる方向に向けて、前記投射レンズ装置の光軸に対して斜めに形成されている
ことを特徴とする請求項２または３に記載の投写型映像表示装置。
【請求項５】
前記排気構造は、前記排気口が排気する空気に比べて低温の空気を排気する
ことを特徴とする請求項１〜４のいずれか一項に記載の投写型映像表示装置。
【発明の詳細な説明】
【技術分野】
【０００１】
本発明は、映像の光を投射する投射レンズ装置と、筐体の内部の空気を筐体の外部に排気する排気口とが隣り合って設けられる投写型映像表示装置に関する。
【背景技術】
【０００２】
一般的に、液晶プロジェクタ等の投写型映像表示装置は、映像の光を投射する投射レンズ装置と、投射レンズ装置等の光学部品が設けられる筐体と、筐体の内部の空気を筐体の外部に排気する排気口とを備える。また、投射レンズ装置に隣り合う位置に排気口を設ける構成が知られている（特許文献１及び２参照）。
【０００３】
特許文献１に記載のプロジェクタは、ズームリングが回転することによって回動するルーバーを有する。ルーバーは排気方向を決定する複数の羽根を含む。また、特許文献２に記載のプロジェクタは、投射レンズ装置から遠ざかるように斜め前方に移動する排気ダクトを有する。特許文献１に記載のルーバーおよび特許文献２に記載の排気ダクトは、可動式の排気構造である。
【先行技術文献】
【特許文献】
【０００４】
【特許文献１】特開２００６−３３７５１０号公報
【特許文献２】特開２００９−１８１１１３号公報
【発明の概要】
【発明が解決しようとする課題】
【０００５】
上記特許文献１および２に記載のプロジェクタは、排気口から排気される空気に起因する映像のゆらぎを抑制する排気構造として可動式の排気構造を有する。しかし、可動式の排気構造を設ける場合、投写型映像表示装置の構成が複雑になるという不都合や、部品点数が多くなるという不都合がある。
【０００６】
本発明は、上記課題を解決するため、可動式の排気構造を用いない簡単な構成で、排気口から排気される空気に起因する映像のゆらぎを抑制することができる投写型映像表示装置を提供することを目的とする。
【課題を解決するための手段】
【０００７】
上記目的を達成するため、請求項１に記載の発明は、映像の光を投射する投射レンズ装置と、前記投射レンズ装置が設けられる筐体と、前記投射レンズ装置から間隔を空けて設けられ、前記筐体の内部の空気を前記筐体の外部に排気する排気口とを備える投写型映像表示装置において、前記筐体における前記投射レンズ装置と前記排気口との間に開口するとともに、前記筐体の内部の空気を前記筐体の外部に排気する排気構造を備え、前記排気構造は、前記投射レンズ装置と前記排気口とが隣り合う隣接方向において、前記排気口が空気を排気する方向に比べて、前記投射レンズ装置から離れる方向に向けて排気する斜め排気形状を有することを特徴とする。
【０００８】
上記発明によれば、筐体における投射レンズ装置と排気口との間に開口するとともに、筐体の内部の空気を筐体の外部に排気する排気構造は、投射レンズ装置と排気口とが隣り合う隣接方向において、排気口が空気を排気する方向に比べて、投射レンズ装置から離れる方向に向けて排気する斜め排気形状を有する。このため、排気口から排気される空気が、斜め排気形状を有する排気構造が排気した空気の流れに影響を受けて、投射レンズ装置から離れる方向に向けて流れる。従って、ルーバー等の可動式の排気構造を用いない簡単な構成で、排気口から排気される空気に起因する映像のゆらぎを抑制することができる。
【０００９】
請求項２に記載の発明は、請求項１に記載の投写型映像表示装置において、排気構造は、前記筐体の内部の空気を前記投射レンズ装置の周囲から前記筐体の外部に排気することを特徴とする。
【００１０】
上記発明によれば、排気構造は、筐体の内部の空気を投射レンズ装置の周囲から筐体の外部に排気するため、投射レンズ装置を冷却して、投射レンズ装置が備えるレンズの熱膨張に起因するフォーカスのずれ（焦点の変化）を抑制することができる。
【００１１】
請求項３に記載の発明は、請求項２に記載の投写型映像表示装置において、投射レンズ装置の外形が、前記隣接方向において前記投射レンズ装置から離れる方向に向けて、前記投射レンズ装置の光軸に対して斜めに形成されていることを特徴とする。
【００１２】
上記発明によれば、投射レンズ装置に沿って空気が流れることにより、投射レンズ装置から離れる方向に向けて空気が流れる。従って、投射レンズ装置の外形により、投射レンズ装置と排気口とが隣り合う隣接方向において、投射レンズ装置から離れる方向に向けて排気する斜め排気形状を構成することができる。
【００１３】
請求項４に記載の発明は、請求項２または３に記載の投写型映像表示装置において、前記筐体は、前記投射レンズ装置と対向するレンズ装置対向壁部を有し、前記レンズ装置対向壁部が、前記隣接方向において前記投射レンズ装置から離れる方向に向けて、前記投射レンズ装置の光軸に対して斜めに形成されていることを特徴とする。
【００１４】
上記発明によれば、筐体のレンズ装置対向壁部に沿って空気が流れることにより、投射レンズ装置から離れる方向に向けて空気が流れる。従って、筐体のレンズ装置対向壁部により、投射レンズ装置と排気口とが隣り合う隣接方向において、投射レンズ装置から離れる方向に向けて排気する斜め排気形状を構成することができる。また、投射レンズ装置の外形により斜め排気形状が構成される場合には、投射レンズ装置から離れる方向に向けて空気を確実に案内することができる。
【００１５】
請求項５に記載の発明は、請求項１〜４のいずれか一項に記載の投写型映像表示装置において、前記排気構造は、前記排気口が排気する空気に比べて低温の空気を排気することを特徴とする。
【００１６】
上記発明によれば、排気口から排気される高温の空気が、排気構造から排気された低温の空気と混ざることにより、排気口から排気される空気の温度を低下させて、映像のゆらぎを一層抑制することができる。
【発明の効果】
【００１７】
本発明によれば、ルーバー等の可動式の排気構造を用いない簡単な構成で、排気口から排気される空気に起因する映像のゆらぎを抑制することができる。
【図面の簡単な説明】
【００１８】
【図１】本発明の一実施形態に係る投写型映像表示装置の外観を示す斜視図。
【図２】同実施形態の投写型映像表示装置の概略構成を示す模式図。
【発明を実施するための形態】
【００１９】
以下、本発明の要部を示す一実施形態について図面を参照しながら説明する。
図１に示すように、投写型映像表示装置であるプロジェクタ１は、外部機器（不図示）から入力される映像信号に基づいて映像を表示するビデオプロジェクタである。
【００２０】
プロジェクタ１は、映像表示用の光学部品及び電子部品を収納する筐体１０と、映像の光を投射する投射レンズ装置２３とを備えている。プロジェクタ１は、投射レンズ装置２３で光をスクリーンまたは壁等の映像表示面（不図示）に投射することにより、映像表示面に映像を表示する。
【００２１】
以下、投射レンズ装置２３が光を投射する方向を「前方」とする。図中の矢印Ｘは、前方、および前方の反対側方向である後方を含む前後方向Ｘを示す。また、図中の矢印Ｙは、前後方向Ｘに垂直な横方向Ｙを示す。また、プロジェクタ１が設置面に設置されたとき、筐体１０に対して設置面設けられる方向を「下方」とする。図中の矢印Ｚは、下方、および下方の反対側方向である上方を含む上下方向Ｚを示す。前後方向Ｘ、横方向Ｙ、および上下方向Ｚは、互いに直交する方向である。
【００２２】
筐体１０は、筐体１０の前側端面を構成する前面部１１と、横方向Ｙにおける筐体１０の端面を構成する側面部１２と、筐体１０の上側端面を構成する上面部１３とを有する。前面部１１には、レンズ用開口１１Ａと複数の排気口１１Ｂとが形成されている。側面部１２には、複数の吸気口１２Ａが形成されている。
【００２３】
レンズ用開口１１Ａと排気口１１Ｂは、筐体１０の前面部１１において、横方向Ｙを隣接方向として、横方向Ｙにおいて隣り合っている。レンズ用開口１１Ａは、前方から見て円形状に形成されている。筐体１０のレンズ用開口１１Ａの内側には、投射レンズ装置２３が設けられている。即ち、横方向Ｙにおいて投射レンズ装置２３と排気口１１Ｂは隣り合うとともに、排気口１１Ｂは、投射レンズ装置２３から間隔を空けて設けられている。排気口１１Ｂは、筐体１０の内部の空気を筐体１０の外部に排気する。
【００２４】
投射レンズ装置２３は、投射レンズ装置２３の外形を形成する筒体２３Ａと、筒体２３Ａの内部に設けられるレンズ２３Ｂとを備える。投射レンズ装置２３は、所定の光軸Ｃを有する。光軸Ｃは、レンズ２３Ｂの中心と焦点とを通る直線である。投射レンズ装置２３は、光軸Ｃが前後方向Ｘに平行となるように、筐体１０の内部で支持されている。
【００２５】
プロジェクタ１は、排気口１１Ｂ以外に、筐体１０の内部の空気を筐体１０の外部に排気する排気構造５０を備えている。排気構造５０は、投射レンズ装置２３の周囲に設けられている。排気構造５０は、投射レンズ装置２３と筐体１０のレンズ用開口１１Ａとの間に設けられる。即ち、排気構造５０は、筐体１０における投射レンズ装置２３と排気口１１Ｂとの間に開口して、投射レンズ装置２３の周囲から筐体１０の外部に排気する。
【００２６】
図２は、上下方向に垂直な筐体１０の断面図であって、プロジェクタ１を上方から見たときの筐体１０の内部構成を示している。図２中の二点鎖線の矢印は、空気の流れを示している。
【００２７】
図２に示すように、プロジェクタ１は、筐体１０の内部に設けられる構成部品として、光源装置２１と、映像生成部２２と、電源部３１と、吸気ファン４１と、冷却ファン４２，４３とを備えている。
【００２８】
光源装置２１は、例えば超高圧水銀ランプまたはメタルハライドランプ等の放電ランプにより構成される。映像生成部２２は、光源装置２１が発した白色光から赤色、緑色、及び青色の光を生成するカラーホイールと、微小鏡が平面状に配列するＤＭＤ（Digital Micromirror Device）とにより構成される。ＤＭＤは映像信号に基づいて駆動され、光源装置２１から映像生成部２２のＤＭＤに入射した光が、ＤＭＤで反射されることによって、映像信号に基づいた映像が生成される。投射レンズ装置２３は、映像生成部２２で生成された映像の光を投射する。
【００２９】
電源部３１は、外部電源（不図示）から入力される電力を、光源装置２１等のプロジェクタ１の各部に供給する。電源部３１、光源装置２１、映像生成部２２、および投射レンズ装置２３における温度上昇を抑制するために、電源部３１、光源装置２１、映像生成部２２、および投射レンズ装置２３には空気が送風される。
【００３０】
吸気ファン４１は、吸気口１２Ａの近傍に設けられている。吸気ファン４１は、筐体１０の外部の空気を、吸気口１２Ａを通して筐体１０の内部に吸い込むとともに、冷却対象部である電源部３１に空気を送風する。
【００３１】
冷却ファン４２は、電源部３１を通過した空気を吸い込むとともに、冷却対象部である光源装置２１に空気を送風する。光源装置２１を通過した空気は、排気口１１Ｂを通して筐体１０の外部に排気される。排気口１１Ｂは、前方に向けて空気を排気する。即ち、排気口１１Ｂが空気を排気する方向は前方である。
【００３２】
また、冷却ファン４３は、電源部３１を通過した空気を吸い込むとともに、冷却対象部である映像生成部２２および投射レンズ装置２３に空気を送風する。光源装置２１を通過した空気は、投射レンズ装置２３の外形に沿って流れることによって、排気構造５０を通して筐体１０の外部に排気される。
【００３３】
光源装置２１は、映像生成部２２および投射レンズ装置２３に比べて発熱量が高く、排気口１１Ｂにおける空気の温度に比べて、排気構造５０における空気の温度は小さい。即ち、排気構造５０は、排気口１１Ｂが排気する空気に比べて低温の空気を排気する。
【００３４】
排気構造５０は、投射レンズ装置２３と排気口１１Ｂとが隣り合う横方向Ｙにおいて、排気口１１Ｂが空気を排気する方向に比べて、投射レンズ装置２３から離れる方向に向けて排気する斜め排気形状を有する。即ち、排気構造５０は、投射レンズ装置２３から離れる外側に空気が流れるように斜め前方に排気する。排気構造５０は、投射レンズ装置２３の外形と、筐体１０が有するレンズ装置対向壁部１０Ａとにより形成される。
【００３５】
横方向Ｙにおいて投射レンズ装置２３から離れる方向は、光軸Ｃから遠ざかる方向であって、図中の矢印で示す外側の方向である。なお、横方向Ｙにおいて投射レンズ装置２３に近づく方向は、光軸Ｃに近づく方向であって、図中の矢印で示す光軸側の方向である。
【００３６】
投射レンズ装置２３の外形、即ち筒体２３Ａの外形は、横方向Ｙにおいて投射レンズ装置２３から離れる方向に向けて、投射レンズ装置２３の光軸Ｃに対して斜めに形成されている。即ち、投射レンズ装置２３は、前方に向かうにつれて拡径するように形成されている。
【００３７】
レンズ装置対向壁部１０Ａは、筐体１０の内部に設けられ、横方向Ｙにおいて投射レンズ装置２３と対向している。レンズ装置対向壁部１０Ａは、横方向Ｙにおいて投射レンズ装置２３から離れる方向に向けて、投射レンズ装置２３の光軸Ｃに対して斜めに形成されている。即ち、レンズ装置対向壁部１０Ａも、前方に向かうにつれて拡径するように形成されている。
【００３８】
排気構造５０の作用について説明する。
排気構造５０は、筐体１０の内部の空気を、投射レンズ装置２３から離れる斜め前方に向けて排気する。このため、排気口１１Ｂが前方に排気した空気が、投射レンズ装置２３から排気された空気の流れの影響を受けて、斜め前方に向けて流れる。また、排気構造５０が排気するとき、投射レンズ装置２３の周囲を空気が通過するため、投射レンズ装置２３の筒体２３Ａおよびレンズ２３Ｂの温度が低下する。
【００３９】
本実施形態のプロジェクタ１は以下の効果を奏する。
（１）プロジェクタ１は、投射レンズ装置２３と、筐体１０と、排気口１１Ｂと、筐体１０における投射レンズ装置２３と排気口１１Ｂとの間に開口するとともに、筐体１０の内部の空気を筐体１０の外部に排気する排気構造５０とを備える。排気構造５０は、投射レンズ装置２３と排気口１１Ｂとが隣り合う隣接方向である横方向Ｙにおいて、排気口１１Ｂが空気を排気する方向に比べて、投射レンズ装置２３から離れる方向に向けて排気する斜め排気形状を有する。このため、排気口１１Ｂから排気される空気が、斜め排気形状を有する排気構造５０が排気した空気の流れに影響を受けて、投射レンズ装置２３から離れる方向に向けて流れる。従って、ルーバー等の可動式の排気構造を用いない簡単な構成で、排気口１１Ｂから排気される空気に起因する映像のゆらぎを抑制することができる。
【００４０】
（２）排気構造５０は、筐体１０の内部の空気を投射レンズ装置２３の周囲から筐体１０の外部に排気する。このため、投射レンズ装置２３を冷却して、投射レンズ装置２３が備えるレンズ２３Ｂの熱膨張に起因するフォーカスのずれ（焦点の変化）を抑制することができる。
【００４１】
（３）投射レンズ装置２３の外形が、横方向Ｙにおいて投射レンズ装置２３から離れる方向に向けて、投射レンズ装置２３の光軸Ｃに対して斜めに形成されている。このため、投射レンズ装置２３に沿って空気が流れることにより、投射レンズ装置２３から離れる方向に向けて空気が流れる。従って、投射レンズ装置２３の外形により、投射レンズ装置２３と排気口１１Ｂとが隣り合う横方向Ｙにおいて、投射レンズ装置２３から離れる方向に向けて排気する斜め排気形状を構成することができる。
【００４２】
（４）筐体１０は、投射レンズ装置２３と対向するレンズ装置対向壁部１０Ａを有し、レンズ装置対向壁部１０Ａが、横方向Ｙにおいて投射レンズ装置２３から離れる方向に向けて、投射レンズ装置２３の光軸Ｃに対して斜めに形成されている。このため、筐体１０のレンズ装置対向壁部１０Ａに沿って空気が流れることにより、投射レンズ装置２３から離れる方向に向けて空気が流れる。従って、筐体１０のレンズ装置対向壁部１０Ａにより、投射レンズ装置２３と排気口１１Ｂとが隣り合う横方向Ｙにおいて、投射レンズ装置２３から離れる方向に向けて排気する斜め排気形状を構成することができる。
【００４３】
（５）排気構造５０が有する斜め排気形状は、投射レンズ装置２３の光軸Ｃに対して斜めに形成されている投射レンズ装置２３の外形と、同様にして形成されている筐体１０のレンズ装置対向壁部１０Ａとにより構成される。このため投射レンズ装置２３から離れる方向に向けて空気を確実に案内することができる。
【００４４】
（６）排気構造５０は、排気口１１Ｂが排気する空気に比べて低温の空気を排気する。このため、排気口１１Ｂから排気される高温の空気が、排気構造５０から排気された低温の空気と混ざることにより、排気口１１Ｂから排気される空気の温度を低下させて、映像のゆらぎを一層抑制することができる。
【００４５】
なお、本発明は、上記実施形態に限られず、本発明の趣旨に基づいて種々の設計変更を行うことが可能であって、それらを本発明の範囲から除外するものではない。例えば、上記実施形態を以下のように変更してもよく、以下の変更を組み合わせて実施してもよい。
【００４６】
・上記実施形態のプロジェクタ１において、排気構造５０は、投射レンズ装置２３の外形とレンズ装置対向壁部１０Ａとにより形成されるが、排気構造５０を形成する部品を変更することもできる。例えば、レンズ装置対向壁部１０Ａを省略することもできる。即ち、排気構造５０が投射レンズ装置２３から離れる斜め前方に排気する構成であれば、排気構造５０の形状を適宜変更してもよい。
【００４７】
・上記実施形態のプロジェクタ１は、吸気ファン４１および冷却ファン４２，４３を備える構成であるが、プロジェクタ１が備えるファンの個数及び配置等の構成を適宜変更することもできる。即ち、排気口１１Ｂおよび排気構造５０から排気される構成であれば、ファンの個数及び配置を変更してもよい。
【００４８】
・上記実施形態のプロジェクタ１は、冷却対象部として電源部３１、光源装置２１、映像生成部２２、および投射レンズ装置２３を備える構成であるが、冷却対象部の構成を省略または追加することもできる。また、光源装置２１を通過した空気の一部を、排気構造５０から排気することもできる。
【００４９】
・上記実施形態の投写型映像表示装置は、ＤＭＤを用いて映像を生成するプロジェクタ１であるが、他のプロジェクタに本発明を適用することもできる。例えば、投写型映像表示装置は、液晶パネルを用いて映像を生成するプロジェクタであってもよい。液晶パネルを備えるビデオプロジェクタにおいては、映像信号に基づいて液晶パネルが駆動される。そして、光源装置から液晶パネルに入射した光が、液晶パネルを透過することによって、映像信号に基づいた映像が生成される。
【符号の説明】
【００５０】
１…プロジェクタ（投写型映像表示装置）、１０…筐体、１０Ａ…レンズ装置対向壁部、１１…前面部、１１Ａ…レンズ用開口、１１Ｂ…排気口、１２…側面部、１２Ａ…吸気口、１３…上面部、２１…光源装置、２２…映像生成部、２３…投射レンズ装置、２３Ａ…筒体、２３Ｂ…レンズ、３１…電源部、４１…吸気ファン、４２，４３…冷却ファン、５０…排気構造、Ｃ…光軸、Ｘ…前後方向、Ｙ…横方向（隣接方向）、Ｚ…上下方向。
【図１】
2013120249.tif 000003
【図２】
2013120249.tif 000004